(57)【要約】【課題】  光ディスクへ照射するレーザ光線のレーザパワーを一定に保つことができ、しかも非点収差のない光ピックアップを提供する。【解決手段】  波長の異なる複数のレーザ光線を出射する第１及び第２のＬＤ５１、５２と、第１及び第２のＬＤ５１、５２から出射される複数のレーザ光線の光軸を合成する光軸合成プリズム５３と、この光軸合成プリズム５３により合成した光軸上のレーザ光線を光ディスク５６の方向へ反射するリーケージミラー５４と、光ディスク５６に照射されるレーザ光線の光量を検出するＬＤモニタ５６とを備えた光ピックアップにおいて、光軸合成プリズム５３とリーケージミラー５４との間に、光軸合成プリズム５３において発生する非点収差を補正するＡＳ補正板１０を配置し、ＡＳ補正板１０により反射された反射光をＬＤモニタ５６により検出するようにした。【選択図】      図１
2006338801.tif 000002
【特許請求の範囲】
【請求項１】
波長の異なる複数のレーザ光線を出射する複数のレーザ光源と、該複数のレーザ光源から出射される複数のレーザ光線の光軸を合成する光軸合成部と、該光軸合成部により合成した光軸上のレーザ光線を光ディスクの方向へ反射する反射板と、前記光ディスクに照射される前記レーザ光線の光量を検出する光量検出手段とを備えた光ピックアップにおいて、前記光軸合成部と前記反射板との間に、前記光軸合成部において発生する非点収差を補正する非点収差補正板を配置し、前記非点収差補正板により反射された反射光を前記光量検出手段により検出することを特徴とする光ピックアップ。
【請求項２】
請求項１に記載の光ピックアップにおいて、前記非点収差補正板の一方の面には反射防止膜を成膜しないようにしたことを特徴とする光ピックアップ。
【発明の詳細な説明】
【技術分野】
【０００１】
本発明は、光ピックアップに関わり、特に波長の異なる複数種類のレーザ光線を出射することができる光ピックアップに好適なものである。
【背景技術】
【０００２】
光ディスク装置に用いられる光ピックアップにおいては、光ディスクへ照射するレーザ光線の一部光量を検出し、その検出結果をレーザダイオードの制御系にフィードバックすることにより、光ディスクへ照射するレーザパワーを一定に保つよう制御している。
また近年、光ディスク装置に用いられる光ピックアップは、複数種類の異なる光ディスクに対応するため、青色波長帯域のレーザ光線を含む複数種類のレーザ光線を出射することができるように構成されているものがある（例えば特許文献１）。
図２は、上記のような従来の光ピックアップの概略構成を示した図である。
この図２において、５１は例えば波長４０５ｎｍの青色波長帯域のレーザ光線を出射する第１のレーザダイオード（ＬＤ）、５２は例えばＤＶＤ（Digital Versatile Disc）に対応した波長６５０ｎｍのレーザ光線とＣＤ（Compact Disc）に対応した波長７８０ｎｍのレーザ光線を出射する第２のレーザダイオード（ＬＤ）、５３は第１及び第２のＬＤ５１、５２から出射される３波長のレーザ光線を合成する光軸合成プリズム、５４は光軸合成プリズム５３からのレーザ光線を反射して光ディスク５６へ導くと共に、光軸合成プリズム５３からのレーザ光線の一部を透過するリーケージミラー、５５はリーケージミラー５４を透過したレーザ光線を検出するＬＤモニタである。
このように構成される従来の光ピックアップでは、リーケージミラー５４を透過したレーザ光線の一部光量をＬＤモニタ５５により検出し、その検出結果を第１及び第２のＬＤ５１、５２の制御系にフィードバックすることにより、リーケージミラー５４において反射され、光ディスク５６へ照射されるレーザ光線のレーザパワーを一定に保つように制御している。
図３は、従来の光ピックアップの他の概略構成を示した図である。なお、図２に示した光ピックアップと同一部位には同一符号を付して説明は省略する。
この図３に示す光ピックアップは、第１及び第２のＬＤ５１、５２から発散されるレーザ光線の一部光量を光軸合成プリズム５３の出射面側に配置したＬＤモニタ５５により検出し、その検出結果を第１及び第２のＬＤ５１、５２の制御系にフィードバックすることにより、光ディスク５６へ照射されるレーザ光線のレーザパワーを一定に保つように制御している。
また図示は省略するが上記の構成の他にも例えば、プリズムにより位相差または偏波面を変えることにより、レーザ光線の一部光量がプリズムを透過または反射するように構成し、その透過又は反射した光量の一部をＬＤモニタにより検出することにより、光ディスクへ照射されるレーザパワーを一定に保つように制御しているものもある。
【特許文献１】特開２００３−７７１６３公報
【発明の開示】
【発明が解決しようとする課題】
【０００３】
しかしながら、上記図２に示した従来の光ピックアップでは、リーケージミラー５４において発生する波長依存性（ＬＤの温度依存性による波長シフト）により、光ディスクへ照射するレーザパワーを一定に保つことが困難であった。
また、リーケージミラー５４の波長依存性の影響を小さくするために、波長依存性に優れたリーケージミラー５４を作製する場合、即ち波長依存性がほぼ一定のリーケージミラー５４を得ようとすると、リーケージミラー５４の歩留まりが著しく悪化するという欠点があった。
また、光軸合成プリズム５３は、レーザ光線の波長によって周辺部の光量が安定しないため、図３に示した光ピックアップのようにＬＤモニタ５５により光軸合成プリズム５３の周辺部の光量を検出した場合には、レーザパワーを一定に保つことが困難であった。
さらに光軸合成プリズム５３をプレート状に形成した場合、図４に示すようにＬＤ５１から発散されるレーザ光線の光路は、光路ＬＤ１と光路ＬＤ１’とでは、レーザ光線が光軸合成プリズム５３内を通過する際の距離が異なるため、非収差が発生するという欠点もあった。
そこで、本発明は上記したような点を鑑みてなされたものであり、光ディスクへ照射するレーザ光線のレーザパワーを一定に保つことができ、しかも非点収差のない光ピックアップを提供することを目的とする。
【課題を解決するための手段】
【０００４】
上記目的を達成するため、請求項１に記載の発明は、波長の異なる複数のレーザ光線を出射する複数のレーザ光源と、該複数のレーザ光源から出射される複数のレーザ光線の光軸を合成する光軸合成部と、該光軸合成部により合成した光軸上のレーザ光線を光ディスクの方向へ反射する反射板と、前記光ディスクに照射される前記レーザ光線の光量を検出する光量検出手段とを備えた光ピックアップにおいて、前記光軸合成部と前記反射板との間に、前記光軸合成部において発生する非点収差を補正する非点収差補正板を配置し、前記非点収差補正板により反射された反射光を前記光量検出手段により検出することを特徴とする。
また請求項２に記載の発明は、請求項１に記載の光ピックアップにおいて、前記非点収差補正板の一方の面には反射防止膜を成膜しないようにしたことを特徴とする。
【発明の効果】
【０００５】
本発明によれば、光軸合成部と反射板との間に、光軸合成部において発生する非点収差を補正する非点収差補正板を配置し、この非点収差補正板により反射した反射光を光量検出手段により検出することで、反射板の波長依存性に関わらず、光ディスクへ照射するレーザパワーを一定に保つことができる。
また、光軸合成部と反射板との間に光軸合成部において発生する非点収差を補正する非点収差補正板を配置したことで、光軸合成板において発生する非収差を補正して無くすことができるようになる。
【発明を実施するための最良の形態】
【０００６】
以下、図面を参照して本発明における実施の形態を詳細に説明する。
図１は本発明の実施形態における光ピックアップの構成を示す概略図である。なお、図２に示した光ピックアップと同一部位には同一符号を付して説明は省略する。
この図１に示す本実施形態の光ピックアップ１は、光軸合成部である光軸合成プリズム５３と反射板であるリーケージミラー５４との間に、非点収差補正板（以下、ＡＳ補正板という）１０を配置するようにしている。そして、このＡＳ補正板１０により反射された一部の光を光量検出手段であるＬＤモニタ５５により検出するようにしている。このため、本実施形態ではＬＤモニタ５５をＡＳ補正板１０の反射面側に配置するようにしている。
ＡＳ補正板１０は、例えば平板上の光学ガラスにより構成され、光軸合成プリズム５３において生じるレーザ光線の非点収差を補正する。さらに通常のＡＳ補正板では、その両面に施されている反射防止膜（ＡＲコート：Anti Reflection Coating）を、本実施形態ではＡＳ補正板１０の一方の面１０ｂだけに成膜し、他方の面１０ａにはＡＲコート１１を成膜しないようにしている。
このように構成すると、ＡＳ補正板１０のＡＲコート１１が形成されていない面１０ａにおいてＳ偏光が１０％程度反射されることになる。
そこで、本実施の形態では、このＡＳ補正板１０において反射された一部のＳ偏光をＬＤモニタ５５により検出するようにしている。
このように光軸合成プリズム５３とリーケージミラー５４との間に、光軸合成プリズム５３において発生する非点収差を補正するＡＳ補正板１０を配置し、このＡＳ補正板１０により反射した反射光をＬＤモニタ５５により検出することで、リーケージミラー５４の波長依存性に関わらず、光ディスクへ照射するレーザパワーを一定に保つことができる。
また、光軸合成プリズム５３とリーケージミラー５４との間に光軸合成プリズム５３を配置したことで光軸合成プリズム５３において発生する非点収差を補正して無くすことができるようになる。
なお、本実施形態では光軸合成部として、第１及び第２のＬＤ５１、５２から出射される３波長のレーザ光線の光軸を合成するために光軸合成プリズム５３を例に挙げて説明したが、光軸合成プリズムの代わりにハーフミラーを用いることも可能である。
また本実施の形態においては、光軸合成プリズム５３により第１及び第２のＬＤ５１、５２から出射される３波長のレーザ光線の光軸を合成するようにしているが、これはあくまでも一例であり、３波長以上のレーザ光線を３つ以上のＬＤから出射するように構成しても良い。
【図面の簡単な説明】
【０００７】
【図１】本発明の実施形態における光ピックアップの構成を示す概略図。
【図２】従来の光ピックアップの概略構成を示した図。
【図３】従来の光ピックアップの他の概略構成を示した図。
【図４】光軸合成プリズムを通過するレーザ光線の経路を示した図。
【符号の説明】
【０００８】
１０  ＡＳ補正板、１１  反射防止膜、５１  ５２  ＬＤ、５３  光軸合成プリズム、５４  リーケージミラー、５５  ＬＤモニタ、５６  光ディスク
【図１】
2006338801.tif 000003
【図２】
2006338801.tif 000004
【図３】
2006338801.tif 000005
【図４】
2006338801.tif 000006